(57)【要約】【課題】防水可能な快速継ぎ手構造を提供する。【解決手段】連接線を主体として、連接線の両端にそれぞれ結合子が設置され、結合子の先端に突出が設置され、突出の内側に複数の端子孔が設置され、結合子の外側に雄ねじが設置され、対応する位置に連接されるもう一つの連接端にも結合子があり、結合子に内部に雄ねじと対応する雌ねじが設置される凹槽が設置され、凹槽の前方に複数の端子が設置され、結合子の外側に回転ロックハウジングが設置され、連接線のもう一端を封止するための案内カバーがあり、案内カバーの外側に回転ロックハウジングが設置され、内側にロックするための複数の雌ねじが設置され、案内カバーの先端に案内カバーの両側を貫通し、案内紐を嵌設するための貫通穴が設置され、使用する時、連接線の突出を凹槽に係合して、端子を端子孔に挿し込み、突出の先端を挿し込む前にＯリングを入れ込み、挿し込んでから回転ロックハウジングの内部にある雌ねじにより雄ねじと回転ロックして、接合される防水可能な快速継ぎ手構造である。【選択図】図１
0003121478.tif 000002
【実用新案登録請求の範囲】
【請求項１】
当該連接線を主体として、当該連接線の両端に、それぞれ、結合子が設置され、当該結合子の先端に、突出が設置され、当該突出の内側に、複数の端子孔が設置され、結合子の外側に、雄ねじが設置され、また、対応する位置に連接されるもう一つの連接端にも、結合子があり、当該結合子に、内部に雄ねじと対応する雌ねじが設置される凹槽が設置され、また、凹槽の前方に複数の端子が設置され、また、当該結合子の外側に、回転ロックハウジングが設置され、また、当該連接線のもう一端を封止するための案内カバーがあり、当該案内カバーの外側に回転ロックハウジングが設置され、内側にロックするための複数の雌ねじが設置され、また、当該案内カバーの先端に、当該案内カバーの両側を貫通し、案内紐を嵌設するための貫通穴が設置され、また、使用する時、連接線の突出を凹槽に係合して、端子を端子孔に挿し込み、また、当該突出の先端を挿し込む前、Ｏリングを入れ込み、挿し込んでから、回転ロックハウジングの内部にある雌ねじにより、雄ねじと回転ロックすることにより、接合される、
ことを特徴とする防水可能な快速継ぎ手構造。
【請求項２】
当該案内カバーは、先端に、両側を貫通し、案内紐を嵌設するための貫通穴が設置され、壁の孔に障害物がある時、案内カバーの円弧造型によりスムーズに案内されて、障害物に引っ掛かることがないことを特徴とする請求項１に記載の防水可能な快速継ぎ手構造。
【請求項３】
当該連接端は、Ｏリングの水密機能により水が浸入することが出来ないため、水中でも使えることを特徴とする請求項１に記載の防水可能な快速継ぎ手構造。
【請求項４】
当該連接線は、一端に、異なるニーズに応ずる回路が連接され、ＡＶ端子線を一つの実施例として、当該一端に、連接線１の一端が接続され、Ｏリングによって気密になり、もう一端のＡＶ端子が設備の連接端に接続されることを特徴とする請求項１に記載の防水可能な快速継ぎ手構造。
【請求項５】
当該連接端の連接方式は、回転係合方式や挿し込み係合方式或いはスロット回転係合方式であることを特徴とする請求項１に記載の防水可能な快速継ぎ手構造。
【考案の詳細な説明】
【技術分野】
【０００１】
本考案は、安定に接合できる防水可能な快速継ぎ手構造に関する。
【背景技術】
【０００２】
従来の快速継ぎ手は、快速に接合できる雄雌継ぎ手によって接合することにより、連接の目的を実現するが、外れてしまう恐れがあり、また、当該雄雌継ぎ手に螺着やロックの構造がないため、雄雌継ぎ手に防水の機能を持たせる場合、外部から防水措置を取ることしかできなく、例えば、防水テープやシリコンであり、しかしながら、上記の方式によると、所定の効果が得られない恐れがあり、プロセスの過程において、不注意があれば、外れてしまい、また、壁にある孔を通る場合、紐を結合子に結合して、紐で、所定の位置まで引張り、しかし、孔に障害があれば、スムーズに通ることが出来ないことや、埃が開口から中へ一杯入ってしまうため使用できなくなることなどにより、使用上に、改善しなければならない問題点がある。
【０００３】
１、従来の雄雌継ぎ手が接合された後、構造が精密ではないため、外れてしまうことが多い。
【０００４】
２、従来の雄雌継ぎ手は、紐を結合子に結合して、紐で、所定の位置まで引張り、しかし、孔に障害があれば、スムーズに通ることが出来ないことや、埃が開口から中へ一杯入ってしまうため使用できなくなることなどにより、使用上、不便である。
【考案の開示】
【考案が解決しようとする課題】
【０００５】
本考案の目的は、安定的に気密な接合を実現できる防水可能な快速継ぎ手構造を提供する。
【課題を解決するための手段】
【０００６】
本考案は、連接線を主体として、当該連接線の両端に、それぞれ、結合子が設置され、当該結合子の先端に、突出が設置され、当該突出の内側に、複数の端子孔が設置され、結合子の外側に、雄ねじが設置され、また、対応する位置に連接されるもう一つの連接端にも、結合子があり、当該結合子に、内部に雄ねじと対応する雌ねじが設置される凹槽が設置され、また、凹槽の前方に複数の端子が設置され、また、当該結合子の外側に、回転ロックハウジングが設置され、また、当該連接線のもう一端を封止するための案内カバーがあり、当該案内カバーの外側に回転ロックハウジングが設置され、内側にロックするための複数の雌ねじが設置され、また、当該案内カバーの先端に、当該案内カバーの両側を貫通し、案内紐を嵌設するための貫通穴が設置され、また、使用する時、連接線の突出を凹槽に係合して、端子を端子孔に挿し込み、また、当該突出の先端を挿し込む前、Ｏリングを入れ込み、挿し込んでから、回転ロックハウジングの内部にある雌ねじにより、雄ねじと回転ロックして、接合される防水可能な快速継ぎ手構造である。
【考案を実施するための最良の形態】
【０００７】
図１、２は、本考案の防水可能な快速継ぎ手構造であり、
当該連接線１が、主体であり、当該連接線１の両端に、それぞれ、結合子が設置され、当該結合子１の先端に、突出２が設置され、当該突出２の内側に、複数の端子孔３が設置され、結合子の外側に、雄ねじ１０が設置され、また、対応する位置に連接されるもう一つの連接端にも、結合子があり、当該結合子に、内部に雄ねじ１０と対応する雌ねじ１７が設置される凹槽５が設置され、また、凹槽５の前方に複数の端子６が設置され、また、当該結合子の外側に、回転ロックハウジング７が設置され、また、当該連接線１のもう一端を封止するための案内カバー９があり、当該案内カバー９の外側に回転ロックハウジング７が設置され、内側にロックするための複数の雌ねじ１７が設置され、また、当該案内カバー９の先端に、当該案内カバー９の両側を貫通し、案内紐を嵌設するための貫通穴８が設置される。
【０００８】
本考案は、図３のように、連結する時、当該連接線１の突出２を凹槽５に係合して、端子６を端子孔３に挿し込み、また、当該突出２の先端を挿し込む前、Ｏリング４を入れ込み、挿し込んでから、回転ロックハウジング７の内部にある雌ねじ１７により、雄ねじ１０と回転ロックして、接合される。
【０００９】
図４のように、当該案内カバー９の先端に、両側を貫通し、案内紐１３を嵌設するための貫通穴８が設置され、壁１１の孔１２に障害物１８がある時、本考案の案内カバー９の円弧造型によりスムーズに案内され、従来のものが障害物に引っ掛かることを防止できる。
【００１０】
本考案は、図５のように、水１４に入れ込んでも、Ｏリングの水密機能により、水が浸入することが無いため、防水の目的が達成され、また、図６と図７のように、連接線１の一端に、異なるニーズに応ずる回路が連結されることができ、当該ＡＶ端子線１５は、ただ、一つの実施例であり、当該一端に、連接線１の一端が接続され、Ｏリング４によって気密になり、もう一端のＡＶ端子１６が、設備の連接端に接続される。
【００１１】
本考案は、次の利点を有する。
１、当該継ぎ手が接合された後、回転ロックによるものであるため、簡単に外れることがない。
２、当該継ぎ手が、先端が孔の内部にある障害物に引っ掛かってスムーズに進まないことと、先端にたくさんの埃が入り込んだため、使用できないことが、ない。
３、構造が簡単で、使用が便利であり、作業がスムーズに進む。
【図面の簡単な説明】
【００１２】
【図１】本考案の機構立体分解図
【図２】本考案の立体組立て図
【図３】本考案の連接部分の断面図
【図４】本考案の貫通孔の立体概念図
【図５】本考案を水中で使用する時の概念図
【図６】本考案の連接線の変換結合前の概念図
【図７】本考案の連接線の変換結合後の概念図
【符号の説明】
【００１３】
１            連接線
２            突出
３            端子孔
４            Ｏリング
５            凹槽
６            端子
７            回転ロックハウジング
８            貫通穴
９            案内カバー
１０          雄ねじ
１１          壁
１２          孔
１３          案内紐
１４          水
１５          ＡＶ端子線
１６          ＡＶ端子
１７          雌ねじ
１８          障害物
【図１】
0003121478.tif 000003
【図２】
0003121478.tif 000004
【図３】
0003121478.tif 000005
【図４】
0003121478.tif 000006
【図５】
0003121478.tif 000007
【図６】
0003121478.tif 000008
【図７】
0003121478.tif 000009